(57)【要約】【課題】プレートを使用せずにコネクタをパネルに固定することが可能なコネクタを提供する。【解決手段】パネル１０の貫通穴１１に取り付けられるコネクタであり、前記貫通穴１１に嵌合可能なハウジング２０と、前記ハウジング２０の周面２１から外側に突出し、前記貫通穴１１の周縁部１２の一面側に当接可能なフランジ部２５と、前記パネル１０の他面側に配されて、前記ハウジング２０に取り付けられる電線カバー３０と、前記電線カバー３０に設けられ、前記貫通穴１１の周縁部１２の他面側に当接可能な当接部４８と、を備えているものである。【選択図】図４
2019139980.tif 000002
【特許請求の範囲】
【請求項１】
パネルの貫通穴に取り付けられるコネクタであり、
前記貫通穴に嵌合可能なハウジングと、
前記ハウジングの周面から外側に突出し、前記貫通穴の周縁部の一面側に当接可能なフランジ部と、
前記パネルの他面側に配されて、前記ハウジングに取り付けられる電線カバーと、
前記電線カバーに設けられ、前記貫通穴の周縁部の他面側に当接可能な当接部と、
を備えているコネクタ。
【請求項２】
前記ハウジングに設けられた被係止部に、前記電線カバーに設けられた係止部が係止して前記電線カバーが前記ハウジングに取り付けられた状態に保持されるようになっており、
前記ハウジングの周面が、円弧状に湾曲した湾曲面を有し、
前記被係止部が、前記湾曲面の周方向に沿って形成され、
前記係止部が、前記被係止部に係止した状態で、前記被係止部に沿って前記周方向に移動可能である請求項１に記載のコネクタ。
【請求項３】
前記被係止部が、前記貫通穴の周縁部に係止可能なプレートを装着できる溝であり、
前記係止部が、前記溝に係止可能な爪部を有するととともに、前記当接部を兼ねている請求項１または請求項２に記載のコネクタ。
【請求項４】
前記係止部が、前記当接部より前記他面から離れた位置に配され、
前記被係止部と前記フランジ部との間隔が、前記当接部と前記フランジ部との間隔より大きくされている請求項１または請求項２に記載のコネクタ。
【発明の詳細な説明】
【技術分野】
【０００１】
本発明は、コネクタに関する。
【背景技術】
【０００２】
従来、パネルの貫通穴に取り付けられるコネクタが知られている。例えば下記特許文献１には、オートマチックトランスミッションのＡ／Ｔケースにコネクタを取り付ける構造が記載されている。
このコネクタは、ケースに形成された貫通穴に嵌合可能なハウジングと、ハウジングに取り付けられる電線カバーとを備えている。ハウジングの周面には、フランジ部が突出して設けられるとともに、略Ｕ字状をなすプレートを装着可能なプレート装着溝が周方向に延びて形成されている。ハウジングをケースの外側から貫通穴に挿入してフランジ部をケースの外面に当てた状態にし、ケースの内側に配されたプレート装着溝にプレートを装着することにより、貫通穴の周縁部がフランジ部とプレートとに挟持された状態になり、コネクタがケースに固定される。
【先行技術文献】
【特許文献】
【０００３】
【特許文献１】特開２０１７−４５５１４号公報
【発明の概要】
【発明が解決しようとする課題】
【０００４】
しかしながら、上記のような構成では、コネクタを固定するためにプレートが必要である。そこで、部品点数を削減するべく、プレートを使用せずにコネクタをパネルに固定する手段が望まれた。
【０００５】
本発明は上記のような事情に基づいて完成されたものであって、プレートを使用せずにコネクタをパネルに固定することが可能なコネクタを提供することを目的とする。
【課題を解決するための手段】
【０００６】
本発のコネクタは、パネルの貫通穴に取り付けられるコネクタであり、前記貫通穴に嵌合可能なハウジングと、前記ハウジングの周面から外側に突出し、前記貫通穴の周縁部の一面側に当接可能なフランジ部と、前記パネルの他面側に配されて、前記ハウジングに取り付けられる電線カバーと、前記電線カバーに設けられ、前記貫通穴の周縁部の他面側に当接可能な当接部と、を備えているものである。
【発明の効果】
【０００７】
本発明によれば、ハウジングのフランジ部と電線カバーの当接部とにより貫通穴の周縁部が挟持されるから、プレートを使用せずにコネクタをパネルに固定することができる。
【図面の簡単な説明】
【０００８】
【図１】実施例１におけるコネクタであって、パネルに取り付ける前の状態を示す斜視図
【図２】コネクタをパネルに取り付ける様子を示す側面図
【図３】パネルに取り付けられた状態のコネクタを示す側面図
【図４】パネルに取り付けられた状態のコネクタを示す断面図
【図５】電線カバーを示す正面図
【図６】電線カバーを示す背面図
【図７】電線カバーを示す側面図
【図８】実施例２におけるコネクタをパネルに取り付ける様子を示す側面図
【図９】パネルに取り付けられた状態のコネクタを示す側面図
【図１０】パネルに取り付けられた状態のコネクタを示す断面図
【図１１】電線カバーを示す正面図
【図１２】電線カバーを示す背面図
【発明を実施するための形態】
【０００９】
本発明の好ましい形態を以下に示す。
本発明のコネクタは、前記ハウジングに設けられた被係止部に、前記電線カバーに設けられた係止部が係止して前記電線カバーが前記ハウジングに取り付けられた状態に保持されるようになっており、前記ハウジングの周面が、円弧状に湾曲した湾曲面を有し、前記被係止部が、前記湾曲面の周方向に沿って形成され、前記係止部が、前記被係止部に係止した状態で、前記被係止部に沿って前記周方向に移動可能であるものとしてもよい。このような構成によれば、ハウジングの向きを固定したまま、電線カバーを周方向に回動して、電線カバーの向きを変えることができる。
【００１０】
また、本発明のコネクタは、前記被係止部が、前記貫通穴の周縁部に係止可能なプレートを装着できる溝であり、前記係止部が、前記溝に係止可能な爪部を有するととともに、前記当接部を兼ねているものとしてもよい。このような構成によれば、ハウジングのフランジ部と電線カバーの係止部とにより貫通穴の周縁部が挟持されるから、プレートを用いてパネルに固定される従来のハウジングを、プレートを用いることなくパネルに固定することができる。
【００１１】
また、本発明のコネクタは、前記係止部が、前記当接部より前記他面から離れた位置に配され、前記被係止部と前記フランジ部との間隔が、前記当接部と前記フランジ部との間隔より大きくされているものとしてもよい。ここで、従来のプレートとフランジ部とによりコネクタをパネルに固定する構成では、プレート用の溝（被係止部）とフランジ部との間隔がパネルの厚さ寸法と同等である必要がある。このため、パネルの厚さ寸法が異なる場合には、それぞれのパネルに合ったハウジングが必要である。しかしながら、本構成によれば、電線カバーの当接部とフランジ部との間隔をパネルの厚さ寸法に合わせればよいから、電線カバーの変更によりパネルの厚さ寸法に対応することができる。したがって、ハウジングを共通化することができる。
【００１２】
＜実施例１＞
以下、本発明を具体化した実施例１について、図１〜図７を参照しつつ詳細に説明する。
本実施例におけるコネクタＣは、パネル（本実施例ではオートマチックトランスミッションケース）１０の貫通穴１１に取り付けられるコネクタである。貫通穴１１は、図１に示すように、円形状をなしてパネル１０を厚さ方向に貫通している。コネクタＣは、図４に示すように、電線Ｗの端末部に接続された端子金具Ｔが収容されるハウジング２０と、ハウジング２０から引き出された電線Ｗの一部を覆う電線カバー３０とを備えている。以下、各構成部材において、図１の上側（図示しない相手側コネクタとの嵌合面側）を上方、その反対側を下方として説明する。
【００１３】
ハウジング２０は、全体として貫通穴１１に嵌合可能なブロック形状をなしている。ハウジング２０の断面（貫通穴１１への嵌合方向に対して交差する方向の断面）は円形状をなしている。ハウジング２０の周面２１は、全周にわたり円弧状をなして湾曲した湾曲面とされている。
【００１４】
ハウジング２０には、図４に示すように、端子金具Ｔが収容される端子収容室２２が複数設けられている。端子収容室２２には端子金具Ｔが下方から挿入される。端子収容室２２に挿入された端子金具Ｔは、片持ち状をなすランス２３に係止されるとともに、ハウジング２０に装着されたリテーナ２４によって二重に係止され、下方への脱落が防がれる。リテーナ２４は、ハウジング２０の周面２１に形成された開口からハウジング２０の内側に挿入される。ハウジング２０は、相手側コネクタとの嵌合面を有する第１ハウジング２０Ｆと、後述するカバー取付部２７を有する第２ハウジング２０Ｓとに上下に２分割されている。
【００１５】
ハウジング２０には、貫通穴１１の周縁部１２の上面側（一面側）に当接可能なフランジ部２５が設けられている。フランジ部２５は、ハウジング２０の周面２１から外側に略直角に突出している。フランジ部２５は、ハウジング２０の周面２１の全周にわたって設けられている。フランジ部２５は、第２ハウジング２０Ｓに一体に設けられている。
【００１６】
ハウジング２０のうちフランジ部２５より上側の部分は、相手側コネクタと嵌合可能なコネクタ嵌合部２６、フランジ部２５より下側の部分は、電線カバー３０が取り付けられるカバー取付部２７とされている。リテーナ２４は、コネクタ嵌合部２６に装着されている。
【００１７】
ハウジング２０には、電線カバー３０に設けられた係止部４１が係止可能な被係止部２８が設けられている。被係止部２８は、カバー取付部２７に設けられている。被係止部２８は、カバー取付部２７の周面２１に凹設された溝である。被係止部２８には、従来のコネクタをパネル１０に固定する際に用いられる略Ｕ字型のプレート（図示せず）が装着可能とされている。
【００１８】
被係止部２８は、カバー取付部２７の周面２１に沿ってフランジ部２５と略平行に延びている。被係止部２８は、フランジ部２５との間に、パネル１０の厚さ寸法に対応した間隔（パネル１０の厚さ寸法と同等またはパネル１０の厚さ寸法より若干大きい間隔）をあけて形成されている。被係止部２８は、カバー取付部２７の全周にわたって連続している。
【００１９】
被係止部２８には、係止部４１の係止面４７が係止可能な係止受け面２９が形成されている（図４参照）。係止受け面２９は、上下方向（電線カバー３０の着脱方向）に対して略直交する面である。
【００２０】
電線カバー３０は、パネル１０の下側に配されて、ハウジング２０のカバー取付部２７に取り付けられる。電線カバー３０は、ハウジング２０の下面から下方に引き出された電線Ｗの束の一部を覆うとともに電線Ｗの束を所定の方向（本実施例では直角方向）に屈曲させて案内する。
【００２１】
電線カバー３０は、図１に示すように、電線Ｗの一部を内部に収めるキャップ状をなすカバー本体部３１と、カバー本体部３１から電線Ｗの束を外側へ引き出す引出部３２とを備えている。
【００２２】
カバー本体部３１は、ハウジング２０に取り付けられた状態においてハウジング２０の下面と略平行をなして対向配置される底壁３３と、底壁３３の外周縁から上方に立ち上がった外周壁３４とを備えている。底壁３３は、図５に示すように、円形の板状をなし、外周壁３４は、円筒形状をなしている。カバー本体部３１の底壁３３には、係止部４１を形成したことによる抜き穴３６が形成されている。
【００２３】
カバー本体部３１は、ハウジング２０のカバー取付部２７に外嵌可能とされている。カバー本体部３１の内面には、複数のリブ３５が突設されている。各リブ３５は、カバー本体部３１の底壁３３から外周壁３４にわたり上下方向に延びている。
【００２４】
引出部３２は、外周壁３４の切りかかれた部分（以後、切欠部３７と称する）から径方向の外方に突出している。引出部３２は、図５に示すように、底壁３３に連なる引出底部３８と、外周壁３４の切欠部３７の両側に連なる一対の引出側部３９とを有している。引出部３２は、図７に示すように、引出底部３８の両側に一対の引出側部３９が立ち上がったＵ字形状をなしている。一対の引出側部３９の高さ寸法（上下方向の寸法）は、カバー本体部３１の外周壁３４の高さ寸法の半分以下の寸法とされている。
【００２５】
電線カバー３０には、図４に示すように、ハウジング２０の被係止部２８に係止可能な係止部４１が設けられている。係止部４１は、カバー本体部３１の外周壁３４に複数が設けられている。係止部４１は、図５に示すように、カバー本体部３１の外周を周方向に等分する位置に設けられている。本実施例では、係止部４１は、カバー本体部３１の外周を周方向に概ね３等分する３箇所に設けられている。３つの係止部４１のうち１つの係止部４１は、引出部３２から外周壁３４に沿って周方向に１８０度離れた位置に配置されている。３つの係止部４１のうち２つの係止部４１は、引出部３２から外周壁３４に沿って周方向に同じ距離だけ離れた位置に配されている。
【００２６】
各係止部４１は、図４に示すように、カバー本体部３１の内外方向（径方向）に弾性撓み可能な弾性部４２と、被係止部２８に係止可能な爪部４３とを備えている。
弾性部４２は、カバー本体部３１の外周壁３４に沿って設けられている。弾性部４２は、下端がカバー本体部３１に固定され、上端が自由端とされた片持ち状をなしている。弾性部４２は、図７に示すように、外周壁３４に形成された一対のスリット４４の間に設けられている。一対のスリット４４は、外周壁３４の上端面４５から下方に略垂直に垂下している。係止部４１の上端面４６と外周壁３４の上端面４５とは、上下方向の位置が揃っている。
【００２７】
爪部４３は、弾性部４２の自由端に設けられている。爪部４３は、弾性部４２の内側に突出して設けられている。爪部４３の下面は、図４に示すように、被係止部２８に係止可能な係止面４７とされている。係止面４７は、上下方向に対して略直交する面である。爪部４３の上面は、爪部４３の上端から下端に向かって弾性部４２からの突出寸法が次第に増すように傾斜している。
【００２８】
電線カバー３０には、パネル１０の貫通穴１１に嵌合された状態のハウジング２０に取り付けられたときに、図３に示すように、パネル１０の下面側（他面側）に当接可能な当接部４８が設けられている。当接部４８は、カバー本体部３１の外周壁３４の上端面４５と係止部４１の上端面４６とからなる。当接部４８は、パネル１０の貫通穴１１の周縁部１２に、ほぼ全周にわたり当接する。
【００２９】
次に、本実施例のコネクタＣをパネル１０に固定する作業の一例を説明する。
まず、ハウジング２０をパネル１０の貫通穴１１に嵌合する。図１に示すように、カバー取付部２７を下側に向けてパネル１０の上面側からハウジング２０を貫通穴１１に差し入れる。すると、ハウジング２０のフランジ部２５が貫通穴１１の周縁部１２の上面に当接する（図２参照）。これにより、ハウジング２０が貫通穴１１の下方に脱落することを防ぐことができる。ハウジング２０がパネル１０の貫通穴１１に嵌合した状態では、被係止部２８はパネル１０の下側に配される。
【００３０】
次に、電線カバー３０をハウジング２０に取り付ける。図２に示すように、ハウジング２０の下面から引き出されている電線Ｗの束をカバー本体部３１の内側に収めて略直角に屈曲させつつカバー本体部３１をカバー取付部２７に外嵌する。このとき、電線Ｗの束は引出部３２から外側に延出させる。カバー本体部３１がカバー取付部２７に嵌合する際、係止部４１の爪部４３がハウジング２０の周面２１に当接し、弾性部４２が外側に弾性撓みする。爪部４３が被係止部２８に至ると弾性部４２が内側に弾性復帰し、爪部４３が被係止部２８に係止した状態、すなわち爪部４３の係止面４７と被係止部２８の係止受け面２９とが上下方向に当接した状態になる（図４参照）。これにより、電線カバー３０が、ハウジング２０から下方への脱落が規制された状態でハウジング２０に取り付けられる。また、電線カバー３０の当接部４８が貫通穴１１の周縁部１２の下面に当接した状態になる。これにより、コネクタＣが貫通穴１１から上方に脱落することを防ぐことができる。電線カバー３０の当接部４８は、ほぼ全体がパネル１０に当接した状態になり、ハウジング２０のカバー取付部２７はほぼ全体が電線カバー３０に覆われる。
【００３１】
次に、電線カバー３０の向きを所定の向きにする。電線カバー３０を回動すると、係止部４１の係止面４７が被係止部２８の係止受け面２９に係止した状態のまま、係止部４１が被係止部２８に沿って周方向に移動する。この間、ハウジング２０の向きは変わらないままに保持し、電線カバー３０のみを相対的に回動させ、引出部３２の位置を変えることができる。電線カバー３０が所定の向きになったところで回動動作をとめると、電線Ｗの束が所定の方向に案内された状態で保持される。
以上により、コネクタＣをパネル１０に固定する作業が完了する。
【００３２】
次に、上記のように構成された実施例の作用および効果について説明する。
本実施例のコネクタＣは、パネル１０の貫通穴１１に取り付けられるコネクタであり、貫通穴１１に嵌合可能なハウジング２０と、ハウジング２０の周面２１から外側に突出し、貫通穴１１の周縁部１２の上面側に当接可能なフランジ部２５と、パネル１０の下面側に配されて、ハウジング２０に取り付けられる電線カバー３０とを備えている。電線カバー３０には、貫通穴１１の周縁部１２の他面側に当接可能な当接部４８が備えられている。この構成によれば、ハウジング２０のフランジ部２５と電線カバー３０の当接部４８とにより貫通穴１１の周縁部１２が挟持されるから、プレートを使用せずにコネクタＣをパネル１０に固定することができる。
【００３３】
また、ハウジング２０に設けられた被係止部２８に、電線カバー３０に設けられた係止部４１が係止して電線カバー３０がハウジング２０に取り付けられた状態に保持されるようになっており、ハウジング２０の周面２１が、円弧状に湾曲した湾曲面を有し、被係止部２８が、湾曲面の周方向に沿って形成され、係止部４１が、被係止部２８に係止した状態で、被係止部２８に沿って周方向に移動可能である。この構成によれば、ハウジング２０の向きを固定したまま、電線カバー３０を周方向に回動して、電線カバー３０の向きを変えることができる。
【００３４】
また、被係止部２８が、貫通穴１１の周縁部１２に係止可能なプレートを装着できる溝であり、係止部４１が、溝に係止可能な爪部４３を有するととともに、当接部４８を兼ねている。この構成によれば、ハウジング２０のフランジ部２５と電線カバー３０の係止部４１とにより貫通穴１１の周縁部１２が挟持される。したがって、プレートを用いてパネル１０に固定される従来のハウジング２０を、プレートを用いることなくパネル１０に固定することができる。
【００３５】
＜実施例２＞
次に、本発明を具体化した実施例２に係るコネクタ５０を図８〜図１２によって説明する。
本実施例のコネクタ５０は、電線カバー５１の係止部５２の上端面５３が外周壁３４の上端面４５より下側に位置している点で、実施例１とは相違する。なお、実施例１と同様の構成には同一符号を付して重複する説明を省略する。
【００３６】
本実施例に係るコネクタ５０は、実施例１と同様に、パネル１０の貫通穴１１に取り付けられるコネクタ５０であり、貫通穴１１に嵌合可能なハウジング２０と、ハウジング２０に取り付けられる電線カバー５１と、を備え、ハウジング２０には、貫通穴１１の周縁部１２の上面側に当接可能なフランジ部２５が設けられ、電線カバー５１には、貫通穴１１の周縁部１２の下面側に当接可能な当接部４８が設けられている。
【００３７】
また、本実施例に係るコネクタ５０は、実施例１と同様に、ハウジング２０に設けられた被係止部５７に、電線カバー５１に設けられた係止部５２が係止して電線カバー５１がハウジング２０に取り付けられた状態に保持されるようになっている。被係止部５７は、実施例１と同様、カバー取付部２７の周面２１に凹設された溝であり、係止部５２は、弾性部５４の上端に爪部５５が設けられたものである。係止部５２は、実施例１と同様に、被係止部５７に係止した状態で、被係止部５７に沿って周方向に移動可能とされている。
【００３８】
係止部５２の上端面５３は、外周壁３４の上端面４５よりも下側に位置している。これにより、電線カバー５１が、図９に示すように、パネル１０の貫通穴１１に嵌合された状態のハウジング２０に取り付けられた状態では、係止部５２は、パネル１０の下面から下方に離れた位置に配される。すなわち係止部５２の上端面５３を除いた外周壁３４の上端面４５のみが当接部４８を構成している。
【００３９】
本実施例の係止部５２は、実施例１の係止部４１より高さ寸法が小さくされるとともに、実施例１の係止部４１の弾性部４２より弾性部５４の厚さ寸法が小さくされている。弾性部５４の厚さ寸法は、図１０に示すように、外周壁３４の厚さ寸法より小さくされており、弾性部５４の内面と外周壁３４の内面、及び弾性部５４の外面と外周壁３４の外面との境目に段差５６が形成されている。なお、電線カバー５１の底壁３３には、抜き穴３６が形成されていない。
【００４０】
ハウジング２０の被係止部５７の位置は、図１０に示すように、係止部５２の高さ位置に合わせて、実施例１のものよりも下がった位置に設けられている。これにより、フランジ部２５と被係止部５７との間隔が実施例１のものより大きくなり、実施例１のパネル１０よりも厚さ寸法が大きいパネル１０に対応できるようになっている。当接部４８とフランジ部２５との間隔は、パネル１０の厚さ寸法に合わせた間隔とされている。パネル１０の厚さ寸法に合わせて、当接部４８の高さ寸法が異なる電線カバー５１を用意することにより、ハウジング２０を共通化したまま、厚さ寸法の異なるパネル１０にコネクタ５０を固定することができる。
【００４１】
以上のように本実施例においては、実施例１と同様、ハウジング２０のフランジ部２５と電線カバー５１の当接部４８とにより貫通穴１１の周縁部１２が挟持されるから、プレートを使用せずにコネクタ５０をパネル１０に固定することができる。また、係止部５２が、当接部４８よりパネル１０の下面から離れた位置に配され、被係止部５７とフランジ部２５との間隔が、当接部４８とフランジ部２５との間隔より大きくされている。これにより、電線カバー５１の当接部４８とフランジ部２５との間隔をパネル１０の厚さ寸法に合わせればよいから、電線カバー５１の変更によりパネル１０の厚さ寸法に対応することができる。したがって、ハウジング２０を共通化することができる。
【００４２】
＜他の実施例＞
本発明は上記記述及び図面によって説明した実施例に限定されるものではなく、例えば次のような実施例も本発明の技術的範囲に含まれる。
（１）上記実施例では、パネル１０がオートマチックトランスミッションケースである場合を例示したが、これに限らず、本発明は各種のパネルに固定されるコネクタに適用することができる。
（２）上記実施例では、ハウジング２０の周面２１が、全周にわたり円弧状をなして湾曲した湾曲面とされているが、これに限らず、ハウジングの周面は、周方向における一部のみが円弧状をなす湾曲面であってもよい。この場合、電線カバーを湾曲面に沿って揺動し、引出部の位置を変えることができる。
（３）上記実施例では、被係止部２８が、カバー取付部２７の全周にわたって連続した溝とされているが、これに限らず、被係止部は、例えば爪部の幅寸法より狭い間隔をあけて周方向に間欠的に設けられた溝であってもよい。
（４）上記実施例では、被係止部２８が、溝とされているが、これに限らず、被係止部は、例えばハウジングの周面に突設された突条であってもよい。
（５）上記実施例では、外周壁３４の上端面４５の全体が当接部４８を構成しているが、これに限らず、外周壁の上端面に上下方向の凹凸を形成し、外周壁の上端面の一部が当接部を構成するものとしてもよい。
（６）上記実施例では、外周壁３４の上端面４５が当接部４８を構成しているが、これに限らず、例えば当接部を、外周壁の外周面から上方に延出する形態で設けてもよい。
（７）上記実施例では、電線カバー３０（５０）が電線Ｗの束を直角方向に屈曲させるものであるが、これに限らず、電線カバーは電線の束を例えば斜め下向きや、下向きの直線方向に案内するものであってもよい。
（８）上記実施例では、フランジ部２５がハウジング２０の周面２１の全周にわたって設けられているが、これに限らず、フランジ部は、ハウジングの周面の周方向における一部に設けてもよい。
【符号の説明】
【００４３】
Ｃ，５０…コネクタ
１０…パネル
１１…貫通穴
１２…周縁部
２０…ハウジング
２１…周面
２５…フランジ部
２８，５７…被係止部
３０，５１…電線カバー
４１，５２…係止部
４３，５５…爪部
４８…当接部
【図１】
2019139980.tif 000003
【図２】
2019139980.tif 000004
【図３】
2019139980.tif 000005
【図４】
2019139980.tif 000006
【図５】
2019139980.tif 000007
【図６】
2019139980.tif 000008
【図７】
2019139980.tif 000009
【図８】
2019139980.tif 000010
【図９】
2019139980.tif 000011
【図１０】
2019139980.tif 000012
【図１１】
2019139980.tif 000013
【図１２】
2019139980.tif 000014